(57)【特許請求の範囲】
【請求項１】
人の検知結果に応じた信号を出力する人感センサと通信する通信部と、
前記通信部を通じて前記人感センサからの信号に基づいて人が滞在する滞在時間を取得する滞在時間取得部と、
前記滞在時間を平均した平均滞在時間を取得する平均滞在時間取得部と、
前記平均滞在時間に基づいて、人が検知されなくなってから照明のオン状態を保持する保持時間を決定する決定部と、
前記通信部を通じて、人が検知されなくなってから保持時間経過信号を送信するまでの時間として前記保持時間を設定する設定信号を前記人感センサに送信する送信処理部と、
を備える照明制御装置。
【請求項２】
前記人感センサは、所定の領域に人を検知したことを示す人検知信号と、前記所定の領域から人が退去してから前記保持時間が経過したことを示す保持時間経過信号と、を出力し、
前記滞在時間取得部は、前記人検知信号を受信してから前記保持時間経過信号を受信するまでの時間から前記保持時間を減算した時間を前記滞在時間として取得する、
前記請求項１に記載の照明制御装置。
【請求項３】
前記人感センサは、人を検知したことを示す人検知信号と、人が退去したことを示す人退去信号と、を出力し、
前記滞在時間取得部は、前記人検知信号を受信してから前記人退去信号を受信するまでの時間を前記滞在時間として取得する、
前記請求項１に記載の照明制御装置。
【請求項４】
前記平均滞在時間を提示する提示処理部を備える、
前記請求項１乃至３の何れか１項に記載の照明制御装置。
【請求項５】
所定の期間において、前記所定の領域に人が滞在した時間の合計である総滞在時間を取得する総滞在時間取得部を備え、
前記提示処理部は、前記総滞在時間を提示する、
前記請求項４に記載の照明制御装置。
【請求項６】
照明制御装置と、人感センサと、照明とを備える照明システムであって、
前記照明制御装置は、
前記人感センサと通信する通信部と、
前記通信部を通じて前記人感センサからの信号に基づいて人が滞在する滞在時間を取得する滞在時間取得部と、
前記滞在時間を平均した平均滞在時間を取得する平均滞在時間取得部と、
前記平均滞在時間に基づいて、人が検知されなくなってから照明のオン状態を保持する保持時間を決定する決定部と、
前記通信部を通じて、人が検知されなくなってから保持時間経過信号を送信するまでの時間として前記保持時間を設定する設定信号を前記人感センサに送信する送信処理部と、
を備え、
前記人感センサは、人の検知結果に応じた信号を前記照明制御装置へ出力し、
前記照明は、前記人感センサが人が滞在することを検知するとオンになり、前記人感センサが人が退去したことを検知してから前記保持時間を経過するとオフになり、
前記人感センサは、前記設定信号に従って前記保持時間を設定し、所定の領域から人が退去してから前記保持時間が経過したことを示す保持時間経過信号を送信する、
前記照明は、前記人感センサが前記保持時間経過信号を送信すると、オフになる、
照明システム。
【請求項７】
人の検知結果に応じた信号を出力する人感センサからの信号に基づいて人が滞在する滞在時間を取得し、
前記滞在時間を平均した平均滞在時間を取得し、
前記平均滞在時間に基づいて、人が検知されなくなってから照明のオン状態を保持する保持時間を決定し、
人が検知されなくなってから保持時間経過信号を送信するまでの時間として前記保持時間を設定する設定信号を前記人感センサに送信する、
照明制御方法。
【発明の詳細な説明】
【技術分野】
【０００１】
本発明の実施形態は、照明制御装置、照明システム及び照明制御方法に関する。
【背景技術】
【０００２】
照明システムには、所定の領域から人が退去すると照明をオフにするものがある。照明システムは、当該領域から人が退去してから所定の保持時間が経過すると照明をオフにする。
【０００３】
従来、保持時間の設定は人感センサ自体が行っており、照明システムとして各人感センサの保持時間の設定、変更、管理はしていないのが一般的である。
【先行技術文献】
【特許文献】
【０００４】
【特許文献１】特開２００８−１０３７０号公報
【発明の概要】
【発明が解決しようとする課題】
【０００５】
上記の課題を解決するために、効果的に保持時間を設定することができる照明制御装置、照明システム及び照明制御方法を提供する。
【課題を解決するための手段】
【０００６】
実施形態によれば、照明制御装置は、通信部と、滞在時間取得部と、平均滞在時間取得部と、決定部と、送信処理部と、を備える。通信部は、人の検知結果に応じた信号を出力する人感センサと通信する。滞在時間取得部は、前記通信部を通じて前記人感センサからの信号に基づいて人が滞在する滞在時間を取得する。平均滞在時間取得部は、前記滞在時間を平均した平均滞在時間を取得する。決定部は、前記平均滞在時間に基づいて、人が検知されなくなってから照明のオン状態を保持する保持時間を決定する。送信処理部は、前記通信部を通じて、人が検知されなくなってから保持時間経過信号を送信するまでの時間として前記保持時間を設定する設定信号を前記人感センサに送信する。
【発明の効果】
【０００７】
この発明によれば、効果的に保持時間を設定することができる照明制御装置、照明システム及び照明制御方法を提供することができる。
【図面の簡単な説明】
【０００８】
【図１】図１は、第１、第２及び第３実施形態に係る照明システムの構成例を示す図である。
【図２】図２は、第１、第２及び第３実施形態に係る上位装置の構成例を示す図である。
【図３】図３は、第１及び第２実施形態に係る上位装置の動作例を示すフローチャートである。
【図４】図４は、第３実施形態に係る上位装置の動作例を示すフローチャートである。
【発明を実施するための形態】
【０００９】
以下、実施の形態について図面を参照して説明する。  
以下で説明する実施形態に係る照明制御装置（１０ａ乃至１０ｃ）は、通信部（１３）と、滞在時間取得部（１１ａ乃至１１ｃ）と、平均滞在時間取得部（１１ａ乃至１１ｃ）と、決定部（１１ａ乃至１１ｃ）と、を備える。通信部は、人の検知結果に応じた信号を出力する人感センサ（１０１ａ乃至１０６ａ、１０１ｂ乃至１０６ｃ及び１０１ｃ乃至１０６ｃ）と通信する。滞在時間取得部は、前記通信部を通じて前記人感センサからの信号に基づいて人が滞在する滞在時間を取得する。平均滞在時間取得部は、前記滞在時間を平均した平均滞在時間を取得する。決定部は、前記平均滞在時間に基づいて、人が検知されなくなってから照明のオン状態を保持する保持時間を決定する。
【００１０】
以下で説明する実施形態に係る前記人感センサ（１０１ａ乃至１０６ａ）は、所定の領域に人を検知したことを示す人検知信号と、前記所定の領域から人が退去してから保持時間が経過したことを示す保持時間経過信号と、を出力する。前記滞在時間取得部（１１ａ）は、前記人検知信号を受信してから前記保持時間経過信号を受信するまでの時間から前記保持時間を減算した時間を前記滞在時間として取得する。
【００１１】
以下で説明する実施形態に係る前記人感センサ（１０１ｂ乃至１０６ｂ及び１０１ｃ及び１０６ｃ）は、人を検知したことを示す人検知信号と、人が退去したことを示す人退去信号と、を出力する。前記滞在時間取得部（１１ｂ及び１１ｃ）は、前記人検知信号を受信してから前記人退去信号を受信するまでの時間を前記滞在時間として取得する。
【００１２】
以下で説明する実施形態に係る照明制御装置（１０ａ乃至１０ｂ）は、送信処理部（１１ａ及び１１ｂ）を備える。送信処理部は、前記通信部を通じて、前記決定部が決定した前記保持時間を設定する設定信号を前記人感センサに送信する。
【００１３】
以下で説明する実施形態に係る照明制御装置は、提示処理部を備える。提示処理部は、前記平均滞在時間を提示する。
【００１４】
以下で説明する実施形態に係る照明制御装置は、総滞在時間取得部を備える。総滞在時間取得部は、所定の期間において、前記所定の領域に人が滞在した時間の合計である総滞在時間を取得する。前記提示処理部は、前記総滞在時間を提示する、
以下で説明する実施形態に係る照明システム（１ａ乃至１ｃ）は、照明制御装置（１０ａ乃至１０ｃ）と、人感センサ（１０１ａ乃至１０６ａ、１０１ｂ乃至１０６ｂ及び１０１ｃ乃至１０６ｃ）と、照明（２０１乃至２０６）とを備える。
【００１５】
前記照明制御装置は、通信部（１３）と、滞在時間取得部（１１ａ乃至１１ｃ）と、平均滞在時間取得部（１１ａ乃至１１ｃ）と、決定部（１１ａ乃至１１ｃ）と、を備える。通信部は、前記人感センサと通信する。滞在時間取得部は、前記通信部を通じて前記人感センサからの信号に基づいて人が滞在する滞在時間を取得する。平均滞在時間取得部は、前記滞在時間を平均した平均滞在時間を取得する。決定部は、前記平均滞在時間に基づいて、人が検知されなくなってから照明のオン状態を保持する保持時間を決定する。前記人感センサは、人の検知結果に応じた信号を前記照明制御装置へ出力する。前記照明は、前記人感センサが人が滞在することを検知するとオンになり、前記人感センサが人が退去したことを検知してから保持時間を経過するとオフになる。
【００１６】
以下で説明する実施形態に係る前記照明制御装置（１０ａ及び１０ｂ）は、送信処理部を備える。送信処理部は、前記通信部を通じて、前記決定部が決定した前記保持時間を設定する設定信号を前記人感センサ（１０１ａ乃至１０６ａ及び１０１ｂ乃至１０６ｂ）に送信する。前記人感センサは、前記設定信号に基づいて前記保持時間を設定し、人が退去してから前記保持時間が経過すると保持時間経過信号を送信する。前記照明は、前記人感センサが前記保持時間経過信号を送信すると、オフになる、
以下で説明する実施形態に係る照明制御方法は、人の検知結果に応じた信号を出力する人感センサ（１０１ａ乃至１０６ａ、１０１ｂ乃至１０６ｂ及び１０１ｃ乃至１０６ｃ）からの信号に基づいて人が滞在する滞在時間を取得し、前記滞在時間を平均した平均滞在時間を取得し、前記平均滞在時間に基づいて、人が検知されなくなってから照明（２０１乃至２０６）のオン状態を保持する保持時間を決定する。
（第１実施形態）
まず、第１実施形態について説明する。  
図１は、実施形態に係る照明システム１ａの構成例を示す図である。  
照明システム１ａは、所定の電源からの電力を用いて照明を発光させるシステムである。また、照明システム１ａは、所定の領域に人が滞在すると照明をオンにする。また、照明システム１ａは、所定の領域から人が退去してから所定の保持時間が経過すると照明をオフにする。照明システム１ａは、たとえば、住宅、オフィス又は商業施設などに設置される。
【００１７】
図１が示すように、照明システム１ａは、上位装置１０ａ（照明制御装置）、照明コントローラ２１ａ並びに２２ａ、人感センサ１０１ａ乃至１０６ａ、及び、照明２０１乃至２０６などを備える。上位装置１０ａは、照明コントローラ２１ａ及び２２ａに通信可能に接続する。また、照明コントローラ２１ａは、人感センサ１０１ａ乃至１０３ａ、及び、照明２０１乃至２０３に通信可能に接続する。また、照明コントローラ２２ａは、人感センサ１０４ａ乃至１０６ａ、及び、照明２０４乃至２０６に通信可能に接続する。また、グループ１００は、人感センサ１０１ａ及び照明２０１を含む。同様に、グループ２００乃至６００は、それぞれ人感センサ１０２ａ及び照明２０２、乃至、人感センサ１０６ａ及び照明２０６を含む。
【００１８】
上位装置１０は、照明システム１ａ全体を制御する。たとえば、上位装置１０は、照明コントローラ２１ａ及び２２ａとデータを送受信し、照明コントローラ２１ａ及び２２ａを制御する。また、上位装置１０は、照明コントローラ２１ａ又は２２ａを通じて人感センサ１０１ａ乃至１０６ａとデータを送受信し、人感センサ１０１ａ乃至１０６ａを制御する。また、上位装置１０は、照明コントローラ２１ａ又は２２ａを通じて照明２０１乃至２０６とデータを送受信し、照明２０１乃至２０６を制御する。上位装置１０の構成は、後に詳述する。
【００１９】
照明コントローラ２１ａは、グループ１００乃至３００を制御する。また、照明コントローラ２２ａは、グループ４００乃至６００を制御する。グループは、統一的に人感センサ及び照明を制御する単位である。たとえば、グループは、所定の場所にある人感センサ及び照明に設定される。たとえば、グループは、それぞれ所定の部屋、廊下、又は、倉庫にある人感センサ及び照明に設定される。
【００２０】
人感センサ１０１ａは、人が滞在すると照明２０１がオンになる所定の領域に人が滞在することを検知する。また、人感センサ１０１ａは、人の検知結果に応じた制御信号を上位装置１０ａに送信する。
【００２１】
人感センサ１０１ａは、所定の領域に人が滞在することを検知する。たとえば、人感センサ１０１ａは、照明２０１が照らす領域に人が滞在することを検知する。人感センサ１０１は、当該領域内に人を検知すると、所定の領域に人が滞在することを示す信号（人検知信号）を照明コントローラ２１ａに送信する。
【００２２】
また、人感センサ１０１ａは、所定の領域内から人が退去したことを検知すると、人が退去したときから保持時間が経過すると、当該領域から人が退去してから保持時間が経過したことを示す制御信号（保持時間経過信号）を照明コントローラ２１ａに送信する。たとえば、人感センサ１０１ａは、当該領域から人が退去したことを検知してからタイマを開始する。人感センサ１０１ａは、タイマが保持時間に達すると、保持時間経過信号を照明コントローラ２１ａに送信する。  
人感センサ１０１ａは、たとえば、赤外線を用いて人を検知するものである。人感センサ１０１ａが人を検知する方法は、特定の方法に限定されるものではない。
【００２３】
また、人感センサ１０１ａは、保持時間を設定する。保持時間は、所定の領域から人が退去してから照明２０１をオフにするまでの時間である。即ち、保持時間は、所定の領域に人が検知されなくなってから照明２０１のオン状態を保持する時間である。人感センサ１０１ａは、予め保持時間を設定する。
【００２４】
また、人感センサ１０１ａは、外部装置からの信号に基づいて、保持時間を適宜設定する。たとえば、人感センサ１０１ａは、上位装置１０ａが照明コントローラ２１ａを通じて送信する信号などに基づいて保持時間を設定する。
【００２５】
たとえば、人感センサ１０１ａは、上位装置１０ａから、保持時間を設定させる設定信号を受信する。設定信号は、保持時間を示す。人感センサ１０１ａは、設定信号を受信すると、設定信号に従って設定信号が示す保持時間を設定する。たとえば、人感センサ１０１ａは、内部メモリなどに保持時間を格納する。
【００２６】
人感センサ１０２ａ乃至１０６ａは、人感センサ１０１ａと同様の構成であるため、説明を省略する。なお、人感センサ１０２ａ乃至１０６ａが設定する保持時間は、それぞれ人感センサ１０２ａ乃至１０６ａが人を検知する領域から人が退去したことを検知してから照明２０２乃至２０６をオフにするまでの時間である。また、人感センサ１０４ａ乃至１０６ａは、制御信号を照明コントローラ２２ａへ送信する。
【００２７】
照明２０１は、照明コントローラ２１ａからの信号に基づいてオン又はオフになる。たとえば、照明２０１は、照明負荷などを備える。照明負荷は、供給される電力に応じて発光する。たとえば、照明負荷は、発光ダイオード、蛍光灯、又は、白熱電球などである。照明２０１が備える照明負荷は、特定の構成に限定されるものではない。なお、照明２０１は、複数個の照明負荷を備えてもよい。照明２０１が備える照明負荷の個数は、特定の個数に限定されるものではない。
【００２８】
照明２０１は、内部又は外部の電力を用いて照明負荷に電力を供給する。また、照明２０１は、照明コントローラ２１ａから電力の供給を受けてもよい。  
照明２０１は、照明コントローラ２１ａから、照明をオンにさせる制御信号を受信すると、照明負荷に電力を供給し照明負荷を発光させる。また、照明２０１は、照明コントローラ２１ａから、照明をオフにさせる制御信号を受信すると、照明負荷への電力供給を停止し照明負荷を消灯させる。
【００２９】
照明２０２乃至２０６は、照明２０１と同様の構成であるため説明を省略する。なお、照明２０４乃至２０６は、照明コントローラ２２ａからの制御信号に基づいてオン又はオフになる。  
なお、照明システム１ａは、図１が示すような構成の他に必要に応じた構成を具備したり、特定の構成を除外したりしてもよい。
【００３０】
次に、照明コントローラ２１ａの機能について説明する。  
照明コントローラ２１ａは、人感センサからの制御信号に基づいて照明をオン又はオフにする機能を有する。ここでは、グループ１００の人感センサ１０１ａ及び照明２０１の制御について説明する。
【００３１】
照明コントローラ２１ａは、人感センサ１０１ａから、人検知信号を受信するまで待機する。照明コントローラ２１ａは、人感センサ１０１ａから人検知信号を受信すると、照明をオンにさせる制御信号を照明２０１に送信する。
【００３２】
当該制御信号を照明２０１に送信すると、照明コントローラ２１ａは、人感センサ１０１ａから、保持時間経過信号を受信するまで待機する。照明コントローラ２１ａは、人感センサ１０１ａから保持時間経過信号を受信すると、照明２０１をオフにさせる制御信号を照明２０１に送信する。
【００３３】
また、照明コントローラ２１ａは、人感センサ１０１ａからの制御信号を上位装置１０ａに送信する機能を有する。たとえば、照明コントローラ２１ａは、人感センサ１０１ａからの人検知信号又は保持時間経過信号を上位装置１０ａに送信する。
【００３４】
また、照明コントローラ２１ａは、上位装置１０からの制御信号を人感センサ１０１ａへ送信する。たとえば、照明コントローラ２１ａは、上位装置１０からの設定信号を人感センサ１０１ａへ送信する。
【００３５】
なお、照明コントローラ２１ａは、人感センサ１０１ａ又は照明２０１を制御するために必要な制御をさらに行ってもよい。また、照明コントローラ２１ａは、グループ２００及び３００に対しても同様の制御を行う。  
また、照明コントローラ２２ａは、照明コントローラ２１ａと同様の機能を実現するため、照明コントローラ２２ａの機能については説明を省略する。
【００３６】
次に、上位装置１０ａについて説明する。  
図２は、上位装置１０ａの構成例を示す図である。  
図２が示すように、上位装置１０ａは、ＣＰＵ１１ａ、メモリ１２、インターフェース１３（通信部）、操作部１４及び表示部１５などを備える。
【００３７】
ＣＰＵ１１ａは、上位装置１０ａ全体の動作を制御する機能を有する。ＣＰＵ１１ａは、内部キャッシュおよび各種のインターフェースなどを備えても良い。ＣＰＵ１１ａは、内部メモリ、又はメモリ１２に予め記憶したプログラムを実行することにより種々の処理を実現する。ＣＰＵ１１ａは、たとえば、プロセッサである。
【００３８】
なお、ＣＰＵ１１ａがプログラムを実行することにより実現する各種の機能のうちの一部は、ハードウエア回路により実現されるものであっても良い。この場合、ＣＰＵ１１ａは、ハードウエア回路により実行される機能を制御する。
【００３９】
メモリ１２は、揮発性メモリ及び不揮発性メモリなどから構成される。たとえば、メモリ１２は、予め制御用のプログラム及び制御データなどを格納する。また、メモリ１２は、ＣＰＵ１１ａの処理中のデータなどを一時的に格納する。たとえば、メモリ１２は、ＣＰＵ１１ａからの命令に基づき種々の実行中のアプリケーションプログラムを格納する。また、メモリ１２は、アプリケーションプログラムの実行に必要なデータ及びアプリケーションプログラムの実行結果などを格納してもよい。  
また、メモリ１２は、各人感センサ１０１ａ乃至１０６ａが設定する保持時間を格納する。
【００４０】
インターフェース１３は、照明コントローラ２１ａ及び２２ａとデータを送受信するためのインターフェースである。インターフェース１３は、たとえば、ＬＡＮ接続をサポートするものであってもよい。
【００４１】
操作部１４は、上位装置１０ａの操作者によって、種々の操作指示が入力される。操作部１４は、操作者に入力された操作指示のデータをＣＰＵ１１ａへ送信する。操作部１４は、たとえば、キーボード、テンキー、及び、タッチパネルなどである。
【００４２】
表示部１５は、ＣＰＵ１１ａの制御により種々の情報を表示する表示装置である。表示部１５は、たとえば、液晶モニタなどである。なお、操作部１４がタッチパネルなどで構成される場合、表示部１５は、操作部１４と一体的に形成されてもよい。  
また、上位装置１０ａは、図２が示すような構成の他に必要に応じた構成を具備したり、特定の構成を除外したりしてもよい。
【００４３】
次に、ＣＰＵ１１ａが実現する機能について説明する。ここでは、ＣＰＵ１１ａがグループ１００の制御のために実現する機能について説明する。  
ＣＰＵ１１ａは、人感センサ１０１ａからの人検知信号及び保持時間経過信号に基づいて、人感センサ１０１ａが人を検知する領域に人が滞在する時間（滞在時間）を取得する機能を有する（滞在時間取得部）。
【００４４】
たとえば、ＣＰＵ１１ａは、人感センサ１０１ａから人検知信号を受信した時刻を取得する。また、ＣＰＵ１１ａは、保持時間経過信号を受信した時刻を取得する。ＣＰＵ１１ａは、両時刻から人検知信号を受信してから保持時間経過信号を受信するまでの時間を算出する。ＣＰＵ１１ａは、算出された時間から人感センサ１０１ａが設定する保持時間を減算した時間を滞在時間として取得する。即ち、ＣＰＵ１１ａは、人検知信号を受信してから保持時間経過信号を受信するまでの時間から保持時間を減算した時間を滞在時間として取得する。
【００４５】
また、ＣＰＵ１１ａは、滞在時間を平均した平均滞在時間を取得する機能を有する（平均滞在時間取得部）。  
たとえば、ＣＰＵ１１ａは、所定の期間（たとえば、１ヶ月）において、滞在時間を取得しメモリ１２などに格納する。ＣＰＵ１１ａは、メモリ１２などに格納された滞在時間を取得し、平均する。ＣＰＵ１１ａは、平均された値を平均滞在時間として取得する。
【００４６】
また、ＣＰＵ１１ａは、平均滞在時間に基づいて保持時間を決定する機能を有する（決定部）。  
たとえば、ＣＰＵ１１ａは、所定の関数に基づいて保持時間を決定する。たとえば、ＣＰＵ１１ａは、所定の関数に平均滞在時間を代入して保持時間を算出する。
【００４７】
また、ＣＰＵ１１ａは、平均滞在時間の所定の係数を積算して保持時間を決定してもよい。所定の係数は、１以上でもよいし、１未満でもよい。  
また、ＣＰＵ１１ａは、所定のテーブルに従って保持時間を決定してもよい。たとえば、ＣＰＵ１１ａは、平均滞在時間と保持時間とを対応付けたテーブルを参照して、保持時間を決定してもよい。
【００４８】
また、ＣＰＵ１１ａは、操作部１４を通じて保持時間を決定するためのパラメータの入力を受け付けてもよい。たとえば、ＣＰＵ１１ａは、保持時間を決定する関数に用いる値の入力を受け付ける。また、ＣＰＵ１１ａは、平均滞在時間に積算して保持時間を算出する係数の入力を受け付けてもよい。ＣＰＵ１１ａは、入力されたパラメータにさらに基づいて保持時間を決定する。
【００４９】
また、ＣＰＵ１１ａは、決定された保持時間を人感センサ１０１ａに送信する機能を有する（送信処理部）。  
たとえば、ＣＰＵ１１ａは、決定された保持時間を示す設定信号を生成する。たとえば、ＣＰＵ１１ａは、保持時間を示すビット列を生成し、設定信号に格納してもよい。また、ＣＰＵ１１ａは、人感センサ１０１ａへの設定信号であることを示すビット列などを設定信号に格納してもよい。
【００５０】
ＣＰＵ１１ａは、インターフェース１３を通じて、生成された設定信号を人感センサ１０１ａに送信する。即ち、ＣＰＵ１１ａは、照明コントローラ２１ａを介して設定信号を人感センサ１０１ａへ送信する。
【００５１】
なお、ＣＰＵ１１ａは、グループ２００乃至６００に対しても同様の制御を行う。なお、ＣＰＵ１１ａは、グループ４００乃至６００の各部と照明コントローラ２２ａを介してデータを送受信する。
【００５２】
また、ＣＰＵ１１ａは、所定の期間において、人感センサ１０１ａが人を検知する領域に人が滞在する滞在時間を合計した時間（総滞在時間）を算出する機能を有する（総滞在時間取得部）。  
たとえば、ＣＰＵ１１ａは、取得された滞在時間を合算して総滞在時間を算出する。
【００５３】
また、ＣＰＵ１１ａは、平均滞在時間及び総滞在時間の少なくとも１つを外部に提示する機能を有する（提示処理部）。  
たとえば、ＣＰＵ１１ａは、平均滞在時間及び総滞在時間の少なくとも１つを示す画面を生成し、表示部１５に表示する。また、ＣＰＵ１１ａは、平均滞在時間及び総滞在時間の少なくとも１つを示す信号を外部装置へ送信してもよい。
【００５４】
次に、ＣＰＵ１１ａの動作例について説明する。ここでは、ＣＰＵ１１ａが人感センサ１０１ａに対して保持時間を設定する動作例を説明する。  
図３は、ＣＰＵ１１ａの動作例を説明するためのフローチャートである。
【００５５】
まず、ＣＰＵ１１ａは、人感センサ１０１ａが人を検知する領域における滞在時間を取得する（Ｓ１１）。たとえば、ＣＰＵ１１ａは、所定の期間における滞在時間を取得する。
【００５６】
滞在時間を取得すると、ＣＰＵ１１ａは、取得された滞在時間の平均滞在時間を算出する（Ｓ１２）。平均滞在時間を算出すると、ＣＰＵ１１ａは、算出された平均滞在時間に基づいて保持時間を決定する（Ｓ１３）。
【００５７】
保持時間を決定すると、ＣＰＵ１１ａは、決定された保持時間を示す設定信号を人感センサ１０１ａに送信する（Ｓ１４）。設定信号を人感センサ１０１ａに送信すると、ＣＰＵ１１ａは、動作を終了する。
【００５８】
なお、人感センサ１０１ａは、ＣＰＵ１１ａから設定信号を受信する。人感センサ１０１ａは、受信された設定信号が示す保持時間を設定する。  
また、ＣＰＵ１１ａは、人感センサ１０２ａ乃至１０６ａに対しても同様に保持時間を設定する。
【００５９】
なお、ＣＰＵ１１ａは、照明コントローラ２１ａ又は２２ａの機能を実現してもよい。ＣＰＵ１１ａが照明コントローラ２１ａ又は２２ａの機能を実現する場合、照明システム１ａは、照明コントローラ２１ａ又は２２ａを備えなくともよい。また、ＣＰＵ１１ａが照明コントローラ２１ａ又は２２ａの機能を実現する場合、上位装置１０ａは、人感センサ１０１ａ乃至１０６ａ及び照明２０１乃至２０６に直接接続してもよい。
【００６０】
また、照明は、複数のグループに重複して所属してもよい。たとえば、所定の照明が複数のグループに所属する場合、ＣＰＵ１１ａは、各グループの平均滞在時間を平均した時間（たとえば、グループ１００の平均滞在時間とグループ２００の平均滞在時間とを平均した時間）に基づいて当該照明の保持時間を決定してもよい。
【００６１】
以上のように構成された照明システムは、人感センサが人を検知する領域に人が滞在する平均滞在時間を算出する。照明システムは、平均滞在時間に基づいて保持時間を決定し、決定された保持時間を人感センサに設定する。そのため、照明システムは、上位装置は、平均滞在時間に応じた保持時間を設定することができる。その結果、照明システムは、効果的に保持時間を設定することができる。
（第２実施形態）
次に、第２実施形態について説明する。  
第２実施形態に係る照明システムは、人感センサが所定の領域から人が退出したことを示す制御信号を出力する点で第１実施形態の照明システムと異なる。  
従って、その他の点については同一の符号を付して詳細な説明を省略する。
【００６２】
図１は、第２実施形態に係る照明システム１ｂの構成例を示す。  
図１が示すように、照明システム１ｂは、上位装置１０ｂ、照明コントローラ２１ｂ並びに２２ｂ、人感センサ１０１ｂ乃至１０６ｂ、及び、照明２０１乃至２０６などを備える。上位装置１０ｂは、照明コントローラ２１ｂ及び２２ｂに通信可能に接続する。また、照明コントローラ２１ｂは、人感センサ１０１ｂ乃至１０３ｂ、及び、照明２０１乃至２０３に通信可能に接続する。また、照明コントローラ２２ｂは、人感センサ１０４ｂ乃至１０６ｂ、及び、照明２０４乃至２０６に通信可能に接続する。また、グループ１００は、人感センサ１０１ｂ及び照明２０１を含む。同様に、グループ２００乃至６００は、それぞれ人感センサ１０２ｂ及び照明２０２、乃至、人感センサ１０６ｂ及び照明２０６を含む。  
照明コントローラ２１ｂ及び２２ｂは、照明コントローラ２１ａ及び２２ｂと同様の構成であるため説明を省略する。
【００６３】
人感センサ１０１ｂは、人感センサ１０１ａの機能に加えて以下の機能を有する。  
人感センサ１０１ｂは、所定の領域内から人が退去したことを検知すると、所定の領域から人が退去したことを示す制御信号（人退去信号）を照明コントローラ２１ａに送信する。たとえば、人感センサ１０１ｂは、所定の領域に人がいることを検知している状態から人を検知しなくなった場合に人退去信号を照明コントローラ２１ａに送信する。  
なお、照明コントローラ２１ａは、人退去信号を上位装置１０ｂへ送信する。
【００６４】
次に、上位装置１０ｂについて説明する。  
図２は、上位装置１０ｂの構成例を示す図である。  
図２が示すように、上位装置１０ｂは、ＣＰＵ１１ｂ、メモリ１２、インターフェース１３、操作部１４及び表示部１５などを備える。
【００６５】
ＣＰＵ１１ｂは、上位装置１０ｂ全体の動作を制御する機能を有する。  
次に、ＣＰＵ１１ｂが実現する機能について説明する。  
ＣＰＵ１１ｂは、人感センサ１０１ｂからの人検知信号及び人退去信号に基づいて、人感センサ１０１ａが人を検知する領域に人が滞在する時間（滞在時間）を取得する機能を有する。
【００６６】
たとえば、ＣＰＵ１１ｂは、人感センサ１０１ａから人検知信号を受信した時刻を取得する。また、ＣＰＵ１１ｂは、人退去信号を受信した時刻を取得する。ＣＰＵ１１ｂは、両時刻から人検知信号を受信してから人退去信号を受信するまでの時間を算出する。ＣＰＵ１１ｂは、算出された時間を滞在時間として取得する。
【００６７】
また、ＣＰＵ１１ｂは、滞在時間を平均した平均滞在時間を算出する機能、平均滞在時間に基づいて保持時間を決定する機能、決定された保持時間を人感センサ１０１ｂに送信する機能、総滞在時間を算出する機能、及び、平均滞在時間及び総滞在時間の少なくとも１つを外部に提示する機能を有する。各機能は、第１実施形態と同様であるため説明を省略する。  
また、ＣＰＵ１１ｂの動作例は、ＣＰＵ１１ａの動作例と同様であるため説明を省略する。
【００６８】
以上のように構成された照明システムは、人感センサから人退去信号を上位装置に送信する。そのため、照明システムは、人退去信号に基づいて、人が所定の領域から退去したタイミングを取得する。また、照明システムは、人検知信号から人退去信号までの時間を算出して滞在時間を取得する。その結果、照明システムは、保持時間の減算を行うことなく滞在時間を取得することができる。
【００６９】
また、照明システムは、保持時間中に人が所定の領域に入った場合においても人検知信号を上位装置に送信する。従って、照明システムは、保持時間中に人が所定の領域に入った場合においても各人の滞在時間を取得することができる。そのため、照明システムは、より正確な平均滞在時間を算出することができる。その結果、照明システムは、より効果的に保持時間を設定することができる。
（第３実施形態）
次に、第３実施形態について説明する。  
第３実施形態に係る照明システムは、上位装置が照明コントローラに保持時間を設定する点で第２実施形態の照明システムと異なる。  
従って、その他の点については同一の符号を付して詳細な説明を省略する。
【００７０】
図１は、第３実施形態に係る照明システム１ｃの構成例を示す。  
図１が示すように、照明システム１ｃは、上位装置１０ｃ、照明コントローラ２１ｃ並びに２２ｃ、人感センサ１０１ｃ乃至１０６ｃ、及び、照明２０１乃至２０６などを備える。上位装置１０ｃは、照明コントローラ２１ｃ及び２２ｃに通信可能に接続する。また、照明コントローラ２１ｃは、人感センサ１０１ｃ乃至１０ｃｂ、及び、照明２０１乃至２０３に通信可能に接続する。また、照明コントローラ２２ｃは、人感センサ１０４ｃ乃至１０６ｃ、及び、照明２０４乃至２０６に通信可能に接続する。また、グループ１００は、人感センサ１０１ｃ及び照明２０１を含む。同様に、グループ２００乃至６００は、それぞれ人感センサ１０２ｃ及び照明２０２、乃至、人感センサ１０６ｃ及び照明２０６を含む。
【００７１】
まず、照明コントローラ２１ｃについて説明する。  
照明コントローラ２１ｃは、上位装置１０ｃからの設定信号に基づいて保持時間を設定する機能を有する。設定信号は、照明コントローラ２１ｃに保持時間を設定させる信号である。また、設定信号は、保持時間を示す。
【００７２】
たとえば、照明コントローラ２１ｃは、設定信号を受信すると、設定信号が示す保持時間を内部メモリなどに格納する。  
照明コントローラ２１ｃは、人感センサ１０１ｃ乃至１０３ｃごとに保持時間を設定する。たとえば、設定信号は、人感センサ１０１ｃ乃至１０３ｃの１つに対応する保持時間を設定させるものであってもよい。また、設定信号は、人感センサ１０１ｃ乃至１０３ｃに対応する各保持時間を設定させるものであってもよい。
【００７３】
また、照明コントローラ２１ｃは、人感センサからの制御信号などに基づいて照明をオン又はオフにする機能を有する。ここでは、グループ１００の人感センサ１０１ｃ及び照明２０１の制御について説明する。
【００７４】
照明コントローラ２１ｃは、人感センサ１０１ｃから、人検知信号を受信するまで待機する。照明コントローラ２１ｃは、人感センサ１０１ｃから人検知信号を受信すると、照明をオンにさせる制御信号を照明２０１に送信する。
【００７５】
当該制御信号を照明２０１に送信すると、照明コントローラ２１ｃは、人感センサ１０１ｃから、人退去信号を受信するまで待機する。照明コントローラ２１ｃは、人感センサ１０１ｃから人退去信号を受信すると、タイマを開始する。
【００７６】
タイマを開始すると、照明コントローラ２１ｃは、タイマが計時する時間が人感センサ１０１ｃに対応する保持時間（保持時間α）に達するまで待機する。たとえば、照明コントローラ２１ｃは、内部メモリなどから保持時間αを取得し、タイマが計時する時間と比較する。
【００７７】
タイマが計時する時間が保持時間αに達すると、照明コントローラ２１ｃは、照明をオフにさせる制御信号を照明２０１に送信する。  
また、照明コントローラ２１ｃは、人感センサ１０１ｃからの制御信号を上位装置１０ｃに送信する機能を有する。
【００７８】
なお、照明コントローラ２１ｃは、人感センサ１０１ｃ又は照明２０１を制御するために必要な制御をさらに行ってもよい。また、照明コントローラ２１ｃは、グループ２００及び３００に対しても同様の制御を行う。  
また、照明コントローラ２２ｃは、照明コントローラ２１ｃと同様の機能を実現するため、照明コントローラ２２ｃの機能については説明を省略する。  
なお、人感センサ１０１ｃは、保持時間経過信号を照明コントローラ２１ｃに送信しなくともよい。人感センサ１０２ｃ乃至１０６ｃも同様である。
【００７９】
次に、上位装置１０ｃについて説明する。  
図２は、上位装置１０ｃの構成例を示す図である。  
図２が示すように、上位装置１０ｃは、ＣＰＵ１１ｃ、メモリ１２、インターフェース１３、操作部１４及び表示部１５などを備える。  
ＣＰＵ１１ｃは、上位装置１０ｃ全体の動作を制御する機能を有する。
【００８０】
ＣＰＵ１１ｃは、人感センサ１０１ｃからの制御信号に基づいて、人感センサ１０１ａが人を検知する領域に人が滞在する時間（滞在時間）を取得する機能を有する。ＣＰＵ１１ｃが滞在時間を取得する方法は、第１又は第２実施形態のＣＰＵ１１ａの動作と同様であるため説明を省略する。人感センサ１０１ｃが保持時間経過信号を送信しない場合、ＣＰＵ１１ｃは、第２実施形態のＣＰＵ１１ｂの動作と同様に滞在時間を取得する。
【００８１】
ＣＰＵ１１ｃは、滞在時間を平均した平均滞在時間を算出する機能、及び、平均滞在時間に基づいて保持時間を決定する機能を有する。各機能は、第１実施形態と同様であるため説明を省略する。
【００８２】
また、ＣＰＵ１１ｃは、決定された保持時間を照明コントローラ２１ａに送信する機能を有する。  
たとえば、ＣＰＵ１１ｃは、決定された保持時間を示す設定信号を生成する。たとえば、ＣＰＵ１１ｃは、保持時間を示すビット列を生成し、設定信号に格納してもよい。また、ＣＰＵ１１ｃは、照明コントローラ２１ｃへの設定信号であることを示すビット列などを設定信号に格納してもよい。
【００８３】
ＣＰＵ１１ｃは、インターフェース１３を通じて、生成された設定信号を照明コントローラ２１ｃに送信する。  
また、ＣＰＵ１１ｃは、総滞在時間を算出する機能、及び、平均滞在時間及び総滞在時間の少なくとも１つを外部に提示する機能を有する。各機能は、第１実施形態と同様であるため説明を省略する。
【００８４】
次に、ＣＰＵ１１ｃの動作例について説明する。ここでは、ＣＰＵ１１ｃが照明コントローラ２１ｃに対して保持時間を設定する動作例を説明する。また、ＣＰＵ１１ｃは、人感センサ１０１ｃに対応する保持時間を設定するものとする。  
図４は、ＣＰＵ１１ｃの動作例を説明するためのフローチャートである。
【００８５】
Ｓ１１乃至Ｓ１３は、第１実施形態におけるそれらと同様であるため説明を省略する。  
保持時間を決定すると（Ｓ１３）、ＣＰＵ１１ｃは、決定された保持時間を示す設定信号を照明コントローラ２１ｃに送信する（Ｓ２１）。設定信号を照明コントローラ２１ｃに送信すると、ＣＰＵ１１ｃは、動作を終了する。
【００８６】
なお、照明コントローラ２１ｃは、ＣＰＵ１１ｃから設定信号を受信する。照明コントローラ２１ｃは、受信された設定信号が示す保持時間を設定する。  
また、ＣＰＵ１１ｃは、同様に、人感センサ１０２ｃ及び１０３ｃに対応する保持時間を照明コントローラ２１ｃに設定する。また、ＣＰＵ１１ｃは、人感センサ１０４ｃ乃至１０６ｃに対応する保持時間を照明コントローラ２２ｃに設定する。
【００８７】
以上のように構成された照明システムは、上位装置により照明コントローラに保持時間を設定する。照明コントローラは、人感センサからの人退去信号を受信してから保持時間が経過すると照明をオフにする。その結果、照明システムは、人感センサからの保持時間経過信号を用いなくとも照明を適切に制御することができる。
【００８８】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
以下に本件出願当初の特許請求の範囲に記載された発明を付記する。
［Ｃ１］
人の検知結果に応じた信号を出力する人感センサと通信する通信部と、
前記通信部を通じて前記人感センサからの信号に基づいて人が滞在する滞在時間を取得する滞在時間取得部と、
前記滞在時間を平均した平均滞在時間を取得する平均滞在時間取得部と、
前記平均滞在時間に基づいて、人が検知されなくなってから照明のオン状態を保持する保持時間を決定する決定部と、
を備える照明制御装置。
［Ｃ２］
前記人感センサは、所定の領域に人を検知したことを示す人検知信号と、前記所定の領域から人が退去してから保持時間が経過したことを示す保持時間経過信号と、を出力し、
前記滞在時間取得部は、前記人検知信号を受信してから前記保持時間経過信号を受信するまでの時間から前記保持時間を減算した時間を前記滞在時間として取得する、
前記Ｃ１に記載の照明制御装置。
［Ｃ３］
前記人感センサは、人を検知したことを示す人検知信号と、人が退去したことを示す人退去信号と、を出力し、
前記滞在時間取得部は、前記人検知信号を受信してから前記人退去信号を受信するまでの時間を前記滞在時間として取得する、
前記Ｃ１に記載の照明制御装置。
［Ｃ４］
前記通信部を通じて、前記決定部が決定した前記保持時間を設定する設定信号を前記人感センサに送信する送信処理部を備える、
前記Ｃ１乃至３の何れか１項に記載の照明制御装置。
［Ｃ５］
前記平均滞在時間を提示する提示処理部を備える、
前記Ｃ１乃至４の何れか１項に記載の照明制御装置。
［Ｃ６］
所定の期間において、前記所定の領域に人が滞在した時間の合計である総滞在時間を取得する総滞在時間取得部を備え、
前記提示処理部は、前記総滞在時間を提示する、
前記Ｃ５に記載の照明制御装置。
［Ｃ７］
照明制御装置と、人感センサと、照明とを備える照明システムであって、
前記照明制御装置は、
前記人感センサと通信する通信部と、
前記通信部を通じて前記人感センサからの信号に基づいて人が滞在する滞在時間を取得する滞在時間取得部と、
前記滞在時間を平均した平均滞在時間を取得する平均滞在時間取得部と、
前記平均滞在時間に基づいて、人が検知されなくなってから照明のオン状態を保持する保持時間を決定する決定部と、
を備え、
前記人感センサは、人の検知結果に応じた信号を前記照明制御装置へ出力し、
前記照明は、前記人感センサが人が滞在することを検知するとオンになり、前記人感センサが人が退去したことを検知してから保持時間を経過するとオフになる、
照明システム。
［Ｃ８］
前記照明制御装置は、
前記通信部を通じて、前記決定部が決定した前記保持時間を設定する設定信号を前記人感センサに送信する送信処理部を備え、
前記人感センサは、前記設定信号に基づいて前記保持時間を設定し、人が退去してから前記保持時間が経過すると保持時間経過信号を送信し、
前記照明は、前記人感センサが前記保持時間経過信号を送信すると、オフになる、
前記Ｃ７に記載の照明システム。
［Ｃ９］
人の検知結果に応じた信号を出力する人感センサからの信号に基づいて人が滞在する滞在時間を取得し、
前記滞在時間を平均した平均滞在時間を取得し、
前記平均滞在時間に基づいて、人が検知されなくなってから照明のオン状態を保持する保持時間を決定する、
照明制御方法。
【符号の説明】
【００８９】
１ａ乃至１ｃ…照明システム、１０ａ乃至１０ｃ…上位装置、１１ａ乃至１１ｃ…ＣＰＵ、２１ａ乃至２１ｃ…照明コントローラ、２２ａ乃至２２ｃ…照明コントローラ、１０１ａ乃至１０６ａ…人感センサ、１０１ｂ乃至１０６ｂ…人感センサ、１０１ｃ乃至１０６ｃ…人感センサ、２０１乃至２０６…照明、１００乃至６００…グループ。
【図１】
0006665626.tif 000002
【図２】
0006665626.tif 000003
【図３】
0006665626.tif 000004
【図４】
0006665626.tif 000005